(57)【特許請求の範囲】
【請求項１】
光軸方向に発光する第一光源と、
前記第一光源を囲うように前記第一光源の周囲に配置され、前記第一光源の発光方向と同じ方向に発光する複数の第二光源と、
前記第一光源の光軸に交差するように配置され、前記第一光源から発した光を取り込む第一入射面と、前記第一入射面に対するように配置され、前記第一入射面によって取り込まれた光を前記第一光源の光軸に関する径方向外方へ放射状に全反射する第一全反射面と、前記第一全反射面を囲うように前記第一全反射面の周囲に配置され、前記第一全反射面によって全反射された光を前記第一光源の光軸に関する径方向外方へ放射する複数の第一出射面と、を有する第一導光体と、
前記第二光源の光軸に交差するように配置され、前記第二光源から発した光を取り込む第二入射面と、前記第二入射面に対するように配置され、前記第一光源の光軸に関する周方向に沿う前記第一出射面の位置からその周方向にずれるよう配置され、前記第二入射面によって取り込まれた光を前記第一光源の光軸に関する径方向外方へ全反射する第二全反射面と、前記第二全反射面よりも前記第一光源の光軸に関する径方向外方に配置され、前記第一光源の光軸に関する周方向に沿う前記第一出射面の位置からその周方向にずれるよう配置され、前記第二全反射面によって全反射された光を前記第一光源の光軸に関する径方向外方へ放射する第二出射面と、を有する複数の第二導光体と、
前記第一出射面よりも前記第一光源の光軸に関する径方向外方に配置され、前記第一出射面によって放射された光を前記第一光源の光軸方向に反射する複数の第一リフレクタと、
前記第二出射面よりも前記第一光源の光軸に関する径方向外方に配置され、前記第二出射面によって放射された光を前記第一光源の光軸方向に反射する複数の第二リフレクタと、を備え、
前記第一導光体の前記第一全反射面又は前記第一出射面が、前記第一出射面によって出射される光を集光することを特徴とする照明装置。
【請求項２】
前記第一全反射面が前記第一入射面に向けて縮径するような円錐面型に形成され、
前記第一出射面が円柱面型凸面状に形成されていることを特徴とする請求項１に記載の照明装置。
【請求項３】
前記第二出射面が前記第一出射面よりも前記第一光源の光軸に関する径方向外方に配置され、前記第二出射面が凹面状に形成されていることを特徴とする請求項１又は２に記載の照明装置。
【請求項４】
前記第一光源が発光色を変更可能な発光色可変型光源であることを特徴とする請求項１から３の何れか一項に記載の照明装置。
【請求項５】
前記第二光源が発光色を変更可能な発光色可変型光源であることを特徴とする請求項１から４の何れか一項に記載の照明装置。
【請求項６】
前記第二光源の点灯又は消灯を周方向の順に行う制御部を更に備える請求項１から５の何れか一項に記載の照明装置。
【請求項７】
前記第一リフレクタが、前記第一光源の光軸に関する径方向に間隔を開けて配列されているとともに、前記第一光源の光軸に関する径方向より外方に配置されるもの程より前に配置されるよう段状となった複数の平面型の第一反射面を有することを特徴とする請求項１から６の何れか一項に記載の照明装置。
【請求項８】
前記第二リフレクタが、前記第一光源の光軸に関する周方向に沿って配列されているとともに、前記第一光源の光軸方向の段差をもって段状に配置された複数の放物面型の第二反射面を有することを特徴とする請求項１から７の何れか一項に記載の照明装置。
【発明の詳細な説明】
【技術分野】
【０００１】
本発明は、複数の光源を有する照明装置に関する。
【背景技術】
【０００２】
特許文献１には、光源（１）、導光レンズ（２）及びリフレクタ（３）を有する照明装置が記載されている。特許文献１に記載されているように、特許文献１の照明装置は、光源（１）が光軸方向に発光し、導光レンズ（２）が光源（１）から発した光を光源（１）の光軸に関する周方向に放射状に拡げ、リフレクタ（３）が導光レンズ（２）によって拡げられた光を光源（１）の光軸方向に反射する。
【０００３】
特許文献２には、光源（２）、第一反射面（３）及び複数の第二反射面（４）を有する照明装置が記載されている。特許文献２に記載されているように、光源（２）が光軸方向に発光し、第一反射面（３）が光源（２）から発した光を光源（２）の光軸に関する周方向に放射状に反射し、複数の第二反射面（４）が第一反射面（３）によって反射された光を光源（２）の光軸方向に反射する。複数の第二反射面（４）が放射状市松模様に配置されているので、照明装置の見栄えが向上する。
【先行技術文献】
【特許文献】
【０００４】
【特許文献１】特開２００７−２０７５０７号公報
【特許文献２】特許第３３５２９８９号公報
【発明の概要】
【発明が解決しようとする課題】
【０００５】
ところで、照明装置の見栄えを更に向上させるため、特許文献１又は特許文献２に記載の照明装置に別の光源、導光体及びリフレクタを追加すること（但し、公知技術ではない。）が考えられる。追加光源、追加導光体及び追加リフレクタは、特許文献１に記載の光源（１）又は特許文献２に記載の光源（２）の周囲に配置され、追加光源から発した光が追加導光体によって周方向外方に導かれ、その光が追加リフレクタによって前方に反射される。
ところが、追加光源から発した光が特許文献１に記載のリフレクタ（３）又は特許文献２に記載の第二反射面（４）に入射され、特許文献１に記載の光源（１）又は特許文献２に記載の光源（２）が発光していないにもかかわらず、特許文献１に記載のリフレクタ（３）又は特許文献２に記載の第二反射面（４）が光って見えてしまう。逆に、特許文献１に記載の光源（１）又は特許文献２に記載の光源（２）から発した光が追加リフレクタに入射され、追加光源が発光していないにもかかわらず、追加リフレクタが光って見えてしまう。
そこで、本発明が解決しようとする課題は、光源から発した光が所望の反射面以外の反射面に入射しないようにして、照明装置の見栄えの向上を図ることである。
【課題を解決するための手段】
【０００６】
以上の課題を解決するため、本発明に係る照明装置は、
光軸方向に発光する第一光源と、
前記第一光源を囲うように前記第一光源の周囲に配置され、前記第一光源の発光方向と同じ方向に発光する複数の第二光源と、
前記第一光源の光軸に交差するように配置され、前記第一光源から発した光を取り込む第一入射面と、前記第一入射面に対するように配置され、前記第一入射面によって取り込まれた光を前記第一光源の光軸に関する径方向外方へ放射状に全反射する第一全反射面と、前記第一全反射面を囲うように前記第一全反射面の周囲に配置され、前記第一全反射面によって全反射された光を前記第一光源の光軸に関する径方向外方へ放射する複数の第一出射面と、を有する第一導光体と、
前記第二光源の光軸に交差するように配置され、前記第二光源から発した光を取り込む第二入射面と、前記第二入射面に対するように配置され、前記第一光源の光軸に関する周方向に沿う前記第一出射面の位置からその周方向にずれるよう配置され、前記第二入射面によって取り込まれた光を前記第一光源の光軸に関する径方向外方へ全反射する第二全反射面と、前記第二全反射面よりも前記第一光源の光軸に関する径方向外方に配置され、前記第一光源の光軸に関する周方向に沿う前記第一出射面の位置からその周方向にずれるよう配置され、前記第二全反射面によって全反射された光を前記第一光源の光軸に関する径方向外方へ放射する第二出射面と、を有する複数の第二導光体と、
前記第一出射面よりも前記第一光源の光軸に関する径方向外方に配置され、前記第一出射面によって放射された光を前記第一光源の光軸方向に反射する複数の第一リフレクタと、
前記第二出射面よりも前記第一光源の光軸に関する径方向外方に配置され、前記第二出射面によって放射された光を前記第一光源の光軸方向に反射する複数の第二リフレクタと、を備え、
前記第一導光体の前記第一全反射面又は前記第一出射面が、前記第一出射面によって出射される光を集光することを特徴とする。
【０００７】
好ましくは、前記第一全反射面が前記第一入射面に向けて縮径するような円錐面型に形成され、
前記第一出射面が円柱面型凸面状に形成されている。
【０００８】
好ましくは、前記第二出射面が前記第一出射面よりも前記第一光源の光軸に関する径方向外方に配置され、前記第二出射面が凹面状に形成されている。
【０００９】
好ましくは、前記第一光源が発光色を変更可能な発光色可変型光源である。
【００１０】
好ましくは、前記第二光源が発光色を変更可能な発光色可変型光源である。
【００１１】
好ましくは、前記照明装置が、前記第二光源の点灯又は消灯を周方向の順に行う制御部を更に備える。
【００１２】
好ましくは、前記第一リフレクタが、前記第一光源の光軸に関する径方向に間隔を開けて配列されているとともに、前記第一光源の光軸に関する径方向より外方に配置されるもの程より前に配置されるよう段状となった複数の平面型の第一反射面を有する。
【００１３】
好ましくは、前記第二リフレクタが、前記第一光源の光軸に関する周方向に沿って配列されているとともに、前記第一光源の光軸方向の段差をもって段状に配置された複数の放物面型の第二反射面を有する。
【発明の効果】
【００１４】
本発明によれば、第一出射面によって出射される光が前記第一全反射面又は前記第一出射面によって集光されるから、第一出射面によって出射される光が第二反射面に入射されない。そのため、第一光源が発光した場合、第一反射面は光って見えるが、第二反射面は光って見えない。
第二出射面が第一出射面から周方向にずれるよう配置されているから、第二出射面によって出射される光が第一反射面に入射されない。そのため、第二光源が発した場合、第二反射面は光って見えるが、第一反射面は光って見えない。
よって、照明装置の見栄えが向上する。
【図面の簡単な説明】
【００１５】
【図１】本発明の実施の形態に係る照明装置の正面図である。
【図２】図１に示されたII−IIに沿った面を矢印方向に見て示した断面図である。
【図３】図３は、図１に示されたIII−IIIに沿った面を矢印方向に見て示した断面図である。
【図４】導光体ユニットをリフレクタユニットから取り外した状態のリフレクタユニットの正面図である。
【図５】導光体ユニットの斜視図である。
【図６】第一光源が発光した場合に、光って見える反射面を指し示すための正面図である。
【図７】第二光源が発光した場合に、光って見える反射面を指し示すための正面図である。
【発明を実施するための形態】
【００１６】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
【００１７】
図１は、照明装置１の正面図である。図２は、図１に示されたII−IIに沿った面を矢印方向に見て示した断面図である。図３は、図１に示されたIII−IIIに沿った面を矢印方向に見て示した断面図である。図４は、導光体ユニット５をリフレクタユニットから取り外した状態のリフレクタユニット正面図である。図５は、導光体ユニット５の斜視図である。なお、以下の説明において、「前」とは照明装置１から発する光束の進む向きであり、照明装置１の光軸が前後方向に延びている。
【００１８】
照明装置１は、第一光源２、複数の第二光源３，３，…、導光体ユニット５及びリフレクタユニット６等を備える。
【００１９】
第一光源２及び第二光源３，３，…は基板４上に搭載されている。第一光源２は照明装置１の中央に配置され、第二光源３，３，…は第一光源２を囲うように第一光源２の周囲に配置されている。基板４は、第一光源２及び第二光源３，３，…が搭載された面を前に向けて配置されており、第一光源２及び第二光源３，３，…は、前方に発光する。第一光源２の光軸Ａｘ１は、第一光源２から基板４に対して垂直な方向へ、つまり第一光源２から前向きに延びている。第二光源３，３，…の光軸Ａｘ２も同様であり、第一光源２の光軸Ａｘ１と第二光源３，３，…の光軸Ａｘ３とが平行である。光源の光軸とは、光度が最大となる向きに光源から延びる仮想的な線である。
【００２０】
照明装置１を第一光源２の光軸Ａｘ１方向に見て（図１参照）、第二光源３，３，…のうち第一光源２の左右両側に配置された一対の第二光源３，３は、他の第二光源３，３，…と比較して、第一光源２からより離れている。
【００２１】
第一光源２は、発光色を変更可能な発光色可変型光源である。具体的には、第一光源２は赤色発光ダイオードチップ、緑色発光ダイオードチップ及び青色発光ダイオードチップを有し、これらの発光ダイオードチップが一体化して１つのデバイスに組み込まれ、これらの発光ダイオードの発光強度が個別に制御される。第二光源３，３，…も第一光源２と同様に発光色可変型光源である。
【００２２】
リフレクタユニット６は、第一光源２、第二光源３，３，…及び基板４の前に配置されている。リフレクタユニット６が椀状（カップ状）に設けられ、そのリフレクタユニット６が前方に向けて開口している。第一通し孔６ａ及び複数の第二通し孔６ｂ，６ｂ，…がリフレクタユニット６の前側の内面から後ろ側の外面に貫通している（図４参照）。第一通し孔６ａは、リフレクタユニット６の前側の内面の中央に配置されている（図４参照）。第一光源２が第一通し孔６ａに相対し、第一光源２の光軸Ａｘ１が第一通し孔６ａを通る（図３参照）。第二通し孔６ｂ，６ｂ，…は、第一通し孔６ａを囲うように第一通し孔６ａの周囲に配置されている。第二光源３，３，…が第二通し孔６ｂ，６ｂ，…にそれぞれ相対し、第二光源３，３，…の光軸Ａｘ２が第二通し孔６ｂ，６ｂ，…をそれぞれ通る（図２参照）。
【００２３】
導光体ユニット５は、リフレクタユニット６の前側内面の中央部に取り付けられている。導光体ユニット５は、第一導光体１０、複数の第二導光体２０，２０，…及び複数の連結部３０，３０，…を有する（図５参照）。
【００２４】
第一導光体１０は中央に配置され、第二導光体２０，２０，…は第一導光体１０を囲うように第一導光体１０の周囲に配置されている。第一導光体１０は、第一通し孔６ａの前に配置されている（図３参照）。第二導光体２０，２０，…は第二通し孔６ｂ，６ｂ，…の前に配置され、第二導光体２０，２０，…の一部が第二通し孔６ｂ，６ｂ，…に差し込まれている（図２参照）。照明装置１を第一光源２の光軸Ａｘ１方向に見て（図１参照）、連結部３０，３０，…が第一導光体１０を中心として放射状に配置されている。連結部３０，３０，…の基端が第一導光体１０に連結され、連結部３０，３０，…の先端が第二導光体２０，２０，…にそれぞれ連結されている。
【００２５】
第一導光体１０は、第一入射面１１、第一全反射面１２及び複数の第一出射面１３，１３，…を有する（図５参照）。
第一導光体１０の後面が略球状に凹設されて、第一入射面１１が第一導光体１０の後面に形成され、第一入射面１１が第一光源２の光軸Ａｘ１に交差するように配置されている。第一入射面１１は凹面状（例えば、球面型凹面状、非球面型凹面状、楕円面型凹面状、放物面型凹面状、自由曲面型凹面状）に形作られている（図３参照）。具体的には、第一入射面１１は、第一光源２の光軸Ａｘ１の周りに回転対称な凹面状に形作られている。第一入射面１１は、第一通し孔６ａを通じて第一光源２に相対する。第一入射面１１は、第一光源２によって前方に放射された光を取り込む。
【００２６】
第一導光体１０の前面が略錘状に凹設されて、第一全反射面１２が第一導光体１０の前面に形成されている。第一全反射面１２が第一入射面１１に対するように配置され、第一光源２の光軸Ａｘ１が第一全反射面１２に交差する。第一全反射面１２は、頂点を第一入射面１１側にした円錐面型凹面状に形作られている。つまり、第一全反射面１２は、第一入射面１１に向けて縮径するとともに、第一光源２の光軸Ａｘ１周りに回転対称な円錐面状又はそれを基調とした自由曲面状に形作られている。第一全反射面１２は、第一入射面１１によって取り込まれた光を第一光源２の光軸Ａｘ１に関する径方向外方へ放射状に全反射する（図３参照）。
【００２７】
第一導光体１０の周面が凸凹に形成されて、第一出射面１３，１３，…が第一導光体１０の周面に形成されている。照明装置１を第一光源２の光軸Ａｘ１方向に見て（図１参照）、第一出射面１３，１３，…は第一入射面１１及び第一全反射面１２を囲うようにこれらの周囲に配置されている。第一出射面１３，１３，…は、円柱面型凸面状に形作られている。つまり、第一出射面１３，１３，…は、第一光源２の光軸Ａｘ１に直交する径方向に膨らんだ凸円弧面を第一光源２の光軸Ａｘ１方向に平行移動して得られる凸円柱面状又はそれを基調とした自由曲面状に形作られている。第一出射面１３，１３，…は、第一導光体１０の周面の周方向に沿って配列されている。周方向に沿う第一出射面１３，１３，…のピッチは等ピッチであることが好ましい。第一出射面１３，１３，…は、第一全反射面１２によって全反射された光を第一光源２の光軸Ａｘ１に関する径方向外方へ放射する（図３参照）。
【００２８】
照明装置１を第一光源２の光軸Ａｘ１方向に見て（図１参照）、第一光源２の光軸Ａｘ１に関する周方向に沿った第一出射面１３，１３，…の中心（頂部）の位置は、それぞれ、隣り合う第二導光体２０，２０の間である。また、照明装置１を第一光源２の光軸Ａｘ１方向に見て、連結部３０，３０，…は、それぞれ、隣り合う第一出射面１３，１３の間から第一光源２の光軸Ａｘ１に関する径方向に延びている。
【００２９】
第二導光体２０，２０，…は、第二入射面２１、第二全反射面２２及び第二出射面２３を有する（図５参照）。
第二導光体２０のうち第二通し孔６ｂに挿入された部分の後面が略球状に凸設されて、第二入射面２１が第二導光体２０の後面に形成されている。第二入射面２１が第二光源３に相対し、第二光源３の光軸Ａｘ２が第二入射面２１に交差する（図２参照）。第二入射面２１は凸面状（例えば、球面型凸面状、非球面型凸面状、楕円面型凸面状、放物面型凸面状、自由曲面型凸面状）に形作られている。具体的には、第二入射面２１は、第二光源３の光軸Ａｘ２の周りに回転対称な凹面状に形作られている。第二入射面２１は、第二光源３から発した光を取り込む。
【００３０】
第二全反射面２２は、第二導光体２０の前面に形成されているとともに、第二入射面２１に対するように配置されている（図２参照）。また、照明装置１を第一光源２の光軸Ａｘ１方向に見て、第二全反射面２２は、第一光源２の光軸Ａｘ１に関する周方向に沿う第一出射面１３の位置からその周方向にずれるように配置されている。第二全反射面２２は、平面状又はそれを基調とした自由曲面状に形作られている。第二全反射面２２は、第二光源３の光軸Ａｘ２に対して傾斜する。具体的には、第二全反射面２２は、第一光源２の光軸Ａｘ１に関する径方向外方に向かって前のめりに傾斜する。第二全反射面２２は、第二入射面２１によって取り込まれた光を第一光源２の光軸Ａｘ１に関する径方向外方へ全反射する。
【００３１】
第二出射面２３は、第二導光体２０の径方向外側（第一光源２の光軸Ａｘ１に関する径方向外側）の面に形成されている。第二出射面２３は、第一出射面１３よりも第一光源２の光軸Ａｘ１に関する径方向外方に配置されているとともに、第二全反射面２２よりも第一光源２の光軸Ａｘ１に関する径方向外方に配置されている。また、照明装置１を第一光源２の光軸Ａｘ１方向に見て、第二出射面２３は、第一光源２の光軸Ａｘ１に関する周方向に沿う第一出射面１３の位置からその周方向にずれるように配置されている。第二出射面２３は、第一光源２の光軸Ａｘ１に関する径方向外方に向いているとともに、第二光源３の光軸Ａｘ２に関する径方向外方に向いている。第二出射面２３は、凹面状に形作られている（図２参照）。
【００３２】
リフレクタユニット６は、第一出射面１３，１３，…によって放射された光を第一光源２の光軸Ａｘ２方向に反射する複数の第一リフレクタ４０，４０，…と、第二出射面２３，２３，…によって放射された光を第一光源２の光軸Ａｘ２方向に反射する複数の第二リフレクタ５０，５０，…と、を有する。
【００３３】
照明装置１を第一光源２の光軸Ａｘ１方向に見て（図１参照）、第一リフレクタ４０，４０，…が第一導光体１０を中心として放射状に配置されている。照明装置１を第一光源２の光軸Ａｘ１方向に見て、第一リフレクタ４０，４０，…は、それぞれ、第一出射面１３，１３，…よりも、第一光源２の光軸Ａｘ１に関する径方向外方に配置されている。
【００３４】
第一リフレクタ４０，４０，…は、複数の段状の第一反射面４１，４１，…を有する。
照明装置１を第一光源２の光軸Ａｘ１方向に見て、第一反射面４１，４１，…は、第一出射面１３よりも、第一光源２の光軸Ａｘ１に関する径方向外方に配置されている。第一反射面４１，４１，…は、第一光源２の光軸Ａｘ１に関する径方向に配列されている。また、第一反射面４１，４１，…は、第一光源２の光軸Ａｘ１に関する径方向に間隔を開けて配列されている（図１、図４参照）。
第一反射面４１，４１，…は、第一光源２の光軸Ａｘ１に関する径方向外方に向かって前のめりに傾斜する（図３参照）。第一反射面４１，４１，…は、平面状又はそれを基調とした自由曲面状に形作られている。また、照明装置１を第一光源２の光軸Ａｘ１方向に見て、第一反射面４１，４１，…が第一光源２の光軸Ａｘ１に関する周方向に略沿うようにＶ字型帯状に延びている。
第一反射面４１，４１，…は、第一光源２及び第二光源３の光軸Ａｘ１，Ａｘ２方向に段差をもって段状に配置されている。具体的には、第一反射面４１，４１，…は、第一光源２の光軸Ａｘ１に関する径方向より外方に配置されるもの程、より前に配置される。
【００３５】
第二リフレクタ５０，５０，…は第一導光体１０を囲うように第一導光体１０の周囲に配置されている。また、第二リフレクタ５０，５０，…は、第一導光体１０を中心にして、左右に長く且つ上下に短い楕円状に配置されている。照明装置１を第一光源２の光軸Ａｘ１方向に見て（図１参照）、第一光源２の光軸Ａｘ１に関する周方向に沿った第二リフレクタ５０，５０，…の位置は、それぞれ、隣り合う第一リフレクタ４０，４０の間である。また、照明装置１を第一光源２の光軸Ａｘ１方向に見て、第二リフレクタ５０，５０，…は、第二導光体２０，２０，…及び第二出射面２３，２３，…よりも、第一光源２の光軸Ａｘ１に関する径方向外方に配置されている（図１、図４参照）。
【００３６】
第二リフレクタ５０，５０は、複数の段状の第二反射面５１，５１，…を有する。
照明装置１を第一光源２の光軸Ａｘ１方向に見て、第二反射面５１，５１，…は、第二出射面２３よりも、第一光源２の光軸Ａｘ１に関する径方向外方に配置されている。第二反射面５１，５１，…は、第一光源２の光軸Ａｘ１に関する周方向に沿って配列されている。
第二反射面５１，５１，…は、第二光源３の光軸Ａｘ２を回転軸とした放物面状又はそれを基調とした自由曲面状に形作られている。また、照明装置１を第一光源２の光軸Ａｘ１方向に見て、第二反射面５１，５１，…が第一光源２の光軸Ａｘ１に関する径方向に略沿うように帯状に延びている。
第二反射面５１，５１，…は、第一光源２及び第二光源３の光軸Ａｘ１，Ａｘ２方向の段差をもって段状に配置されている（図２参照）。
【００３７】
この照明装置１は、第一光源２及び第二光源３，３，…を制御する制御部９０を有する（図１参照）。
制御部９０は、第一光源２の発光タイミングを制御する。例えば、制御部９０は、第一光源２の点灯・消灯を交互に繰り返すことで、第一光源２を点滅させる。
また、制御部９０は、第一光源２の三原色の発光ダイオードの発光強度を制御して、第一光源２の発光色を制御する。
また、制御部９０は、第二光源３，３，…の発光タイミングを制御する。例えば、制御部９０は、第二光源３，３，…の点灯を周方向の順に行った後、第二光源３，３，…の消灯を周方向の順に行う。また、制御部９０は、第二光源３，３，…の点灯をした後に消灯することを、周方向の順に行う。例えば、制御部９０は、第二光源３，３，…の点灯又は消灯を同時に行う。
また、制御部９０は、第二光源３，３，…の三原色の発光ダイオードの発光強度を制御して、第二光源３，３，…の発光色を制御する。
【００３８】
照明装置１の動作及び配光特性について説明する。
第一光源２が発光すると、第一入射面１１は第一光源２から発した光を取り込み、第一全反射面１２は第一入射面１１によって取り込まれた光を第一光源２の光軸Ａｘ１に関する径方向外方へ放射状に反射し、第一出射面１３，１３，…は第一全反射面１２によって反射された光を第一光源２の光軸Ａｘ１に関する径方向外方へ放射状に放射し、第一リフレクタ４０，４０，…の第一反射面４１，４１，…は第一出射面１３，１３，…によって出射された光を前方に反射する。従って、第一光源２が発光すると、第一リフレクタ４０，４０，…の第一反射面４１，４１，…が光って見える（図１、図６参照）。図６では、ドットの模様を付した領域が第一反射面４１である。
【００３９】
第一反射面４１，４１，…が第一光源２の光軸Ａｘ１の径方向に間隔をあけて段状に配置されているから、第一出射面１３の高さが低くても、第一出射面１３によって出射された光がより外側の第一反射面４１にも入射され得る。従って、第一リフレクタ４０によって反射することができる範囲を第一光源２の光軸Ａｘ１に関する径方向のより外側にすることができる。
【００４０】
第一出射面１３，１３，…が凸円柱面状に形成されているから、第一出射面１３，１３，…は、第一光源２の光軸Ａｘ１から第一出射面１３，１３，…の中心（頂部）に延びる径方向の線を中心にして、第一出射面１３，１３，…によって出射された光を集光する。つまり、第一出射面１３，１３，…によって出射された光束の拡がりが小さい。そのため、第一出射面１３によって出射された光は、その第一出射面１３の先にある第一リフレクタ４０の第一反射面４１，４１，…に入射されるが、その第一リフレクタ４０の両側にある第二リフレクタ５０，５０の第二反射面５１，５１，…に殆ど入射されない。従って、第一光源２が発光しても、第二リフレクタ５０，５０，…の第二反射面５１，５１，が光らないように見える（図１、図６参照）。
【００４１】
また、第一入射面１１に入射された全ての光束が第一全反射面１２によって全反射されるのではなく、一部の光束が第一全反射面１２から漏れる。そのため、第一光源２が発光すると、第一全反射面１２が光って見える（図１、図３、図６参照）。
【００４２】
第二光源３が発光すると、第二入射面２１は第二光源３から発した光を取り込み、第二全反射面２２は第二入射面２１によって取り込まれた光を第一光源２及び第二光源３の光軸Ａｘ１，Ａｘ２に関する径方向外方へ反射し、第二出射面２３は第二全反射面２２によって反射された光を第一光源２及び第二光源３の光軸Ａｘ１，Ａｘ２に関する径方向外方へ放射し、第二リフレクタ５０の第二反射面５１，５１，…は第二出射面２３によって出射された光を前方に反射する。従って、第二光源３が発光すると、第二リフレクタ５０の第二反射面５１，５１，…が光って見える（図１、図２、図７参照）。図７では、ドットの模様を付した領域が第二反射面５１である。
【００４３】
第二出射面２３が凹面状に形成されているから、第二出射面２３はその第二出射面２３によって出射された光を第二出射面２３の法線を中心にして拡げる。つまり、第二出射面２３によって出射された光束の拡がりが大きい。そのため、第二リフレクタ５０が大きく、第二反射面５１，５１，…が広範に配置されていても、第二反射面５１，５１，…の何れでも略均等な明るさで光を反射する。従って、第二リフレクタ５０が全体的に均等な明るさで光って見える（図１、図２、図７参照）。
【００４４】
また、第二入射面２１に入射された全ての光束が第二全反射面２２によって全反射されるのではなく、一部の光束が第二全反射面２２から漏れる。そのため、第二光源３が発光すると、第二全反射面２２が光って見える（図１、図２、図７参照）。
【００４５】
第二導光体２０，２０，…が第一導光体１０よりも径方向外方に配置され、第二導光体２０，２０，…の第二出射面２３，２３，…が第一導光体１０の第一出射面１３，１３，…よりも径方向外方に配置されている。そのため、第二出射面２３によって出射された光は、その両側にある第一リフレクタ４０，４０の第一反射面４１，４１，…に殆ど入射されない。従って、第二光源３が発光しても、両側にある第一リフレクタ４０，４０の第一反射面４１，４１，…が光らないように見える。
【００４６】
以上のように構成された照明装置１は、以下のような効果を奏する。
【００４７】
(1)  第一光源２と第二光源３が同時に発光した場合、第一リフレクタ４０，４０，…の第一反射面４１で混色せず、見栄えが向上する。これは、第二導光体２０，２０，…の第二出射面２３，２３，…が第一導光体１０の第一出射面１３，１３，…よりも径方向外方に配置されているためである。
【００４８】
(2)  第一光源２と第二光源３が同時に発光した場合、第二リフレクタ５０の第二反射面５１で混色せず、見栄えが向上する。これは、第一出射面１３，１３，…が凸円柱面状に形成されていて、第一出射面１３，１３，…によって出射された光束の拡がりが小さいためである。
【００４９】
(3)  第二光源３，３，…の点灯若しくは消灯又は点灯と消灯の組み合わせが周方向の順に行われると、モータ等を使用することなく、あたかも回転灯のような演出効果が得られる。モータを用いないので、照明装置１の構造がシンプルになるとともに、部品点数の削減を図ることができる。
【００５０】
(4)  第一光源２が発光色を変更可能な発光色可変型光源であるから、照明装置１の見栄えが向上する。第二光源３，３，…が発光色を変更可能な発光色可変型光源であるから、照明装置１の見栄えが向上する。
【００５１】
(5)  第一反射面４１，４１，…が第一光源２の光軸Ａｘ１の径方向に間隔をあけて段状に配置されているから、第一光源２の発光によって光って見える範囲が外方に拡がる。
【００５２】
(6)  第二反射面５１，５１，…が第一光源２の光軸Ａｘ１に関する周方向に沿って配列されているとともに、第一光源２の光軸Ａｘ１方向の段差をもって段状に配置されているから、第二リフレクタ５０が煌めいて見える。そのため、照明装置１の見栄えが向上する。
【００５３】
〔変形例〕
なお、本発明を適用可能な実施形態は、上述した実施形態に限定されることなく、本発明の趣旨を逸脱しない範囲で適宜変更可能である。下記に挙げる変形例は可能な限り組み合わせてもよい。
【００５４】
〔変形例１〕
上記実施形態では、第一出射面１３，１３，…が凸円柱面状に形成されているが、第一出射面１３，１３，…が平面状に形成されていて、これら第一出射面１３，１３，…全体が多角形柱面となっていてもよい。この場合、第一全反射面１２が光を集光する。具体的には、第一全反射面１２が、円錐面型ではなく、凸面アレイ型（第一導光体１０の内部から観察した場合、凹面アレイ型）に形作られている。凸面アレイとは、第一出射面１３，１３，…にそれぞれ対応する複数の凸面（例えば、凸円錐面、凸円柱面、凸球面、凸非球面）を第一光源２の光軸Ａｘ１に関する周方向に沿って配列したものである。第一全反射面１２の複数の凸面が第一入射面１１によって入射された光をそれぞれの第一出射面１３，１３，…に向けて全反射するが、各凸面は反射光を集光する。そのため、第一出射面１３，１３，…によって出射された光束の拡がりが小さい。
【００５５】
〔変形例２〕
第二光源３，３，…若しくは第一光源２又はこれらの両方が、単色に発光する光源でもよい。第二光源３，３，…と第一光源２の両方が単色に発光する光源である場合、第二光源３，３，…の発光色と第一光源２の発光色が同じでもよいし、異なっていてもよい。
【産業上の利用可能性】
【００５６】
本発明に係る照明装置は、一般照明灯具、家庭用照明灯具、車両用灯具（例えば、テールランプ、制動灯、補助制動灯、方向指示灯、車幅灯）、装飾灯、遊技機用装飾灯、室内灯、非常灯、警告灯その他の照明装置に適用可能である。
【符号の説明】
【００５７】
１  照明装置
２  第一光源
３  第二光源
５  導光体ユニット
６  リフレクタユニット
１０  第一導光体
１１  第一入射面
１２  第一全反射面
１３  第一出射面
２０  第二導光体
２１  第二入射面
２２  第二全反射面
２３  第三出射面
４０  第一リフレクタ
４１  第一反射面
５０  第二リフレクタ
５１  第二反射面
９０  制御部
【図１】
0005650566.tif 000002
【図２】
0005650566.tif 000003
【図３】
0005650566.tif 000004
【図４】
0005650566.tif 000005
【図５】
0005650566.tif 000006
【図６】
0005650566.tif 000007
【図７】
0005650566.tif 000008